(57)【要約】【課題】カウンタ部を設けた軌道輪の軌道溝へのボールの組み込み時にボール疵が発生する恐れがなく、軸受組立工程の管理を容易にできるアンギュラ玉軸受を提供することである。【解決手段】ボール組み込み用のカウンタ部２ｂを設けた外輪２の軌道溝２ａのカウンタ部２ｂと反対側の溝肩に面取り部２ｃを設けることにより、カウンタ部２ｂ側の溝肩に設定されたかち込み代のばらつきによって、軌道溝２ａに組み込まれるボール３が反対側の溝肩に強く当たってもボール３に疵が発生しないようにし、かち込み代のばらつきの管理や、ボール組み込み時のかち込み力の管理を不要として、軸受組立工程の管理を容易にできるようにした。【選択図】図３
2006307894.tif 000002
【特許請求の範囲】
【請求項１】
内外輪の少なくとも一方の軌道輪の軌道溝の片側にボール組み込み用のカウンタ部が設けられ、このカウンタ部を設けられた軌道輪の軌道溝が、カウンタ部側とその反対側との両側に溝肩を有するアンギュラ玉軸受において、前記カウンタ部を設けられた少なくとも一方の軌道輪の軌道溝の前記カウンタ部と反対側の溝肩に面取り部を設けたことを特徴とするアンギュラ玉軸受。
【請求項２】
前記カウンタ部を設けられた少なくとも一方の軌道輪が外輪である請求項１に記載のアンギュラ玉軸受。
【発明の詳細な説明】
【技術分野】
【０００１】
本発明は、アンギュラ玉軸受に関する。
【背景技術】
【０００２】
アンギュラ玉軸受は、内外輪の少なくとも一方の軌道輪の軌道溝の片側に、ボール組み込み用のカウンタ部が設けられている。アンギュラ玉軸受を組み立てる際は、環状の保持器に組み込んだボールを、このカウンタ部が設けられた軌道輪の軌道溝と対向する他方の軌道輪の軌道溝にセットしたのち、カウンタ部が設けられた軌道輪を、その軌道溝にカウンタ部側からボールが組み込まれるように軸方向から嵌め込み、ボールがセットされた他方の軌道輪と組み立てるようにしている（例えば、特許文献１参照）。
【０００３】
このアンギュラ玉軸受には、カウンタ部が設けられた軌道輪の軌道溝のカウンタ部側とその反対側との両側に溝肩を設け、軌道溝間に組み込まれるボールと内外輪とを非分離としたものが多い。後からボールが組み込まれる軌道溝のカウンタ部側の溝肩は、ボールを非分離とするためのかち込み代を設定して低く鈍角に形成され、その反対側の溝肩は高く鋭角に形成される。
【０００４】
また、この非分離型のアンギュラ玉軸受では、外輪側の軌道溝にボール組み込み用のカウンタ部を設けることが多く、保持器に組み込んだボールを内輪側の軌道溝にセットしたのち、外輪を熱膨張させて、かち込み代を設定したカウンタ部側の溝肩から、その軌道溝へボールを組み込むようにしている。外輪の温度が常温まで低下すると、その熱収縮によって外輪とボールおよび内輪とが非分離となる。
【０００５】
【特許文献１】特開平１１−２７０５６３号公報
【発明の開示】
【発明が解決しようとする課題】
【０００６】
上述した非分離型のアンギュラ玉軸受では、ボール組み込み用のカウンタ部を設けた軌道輪を、保持器に組み込んだボールがセットされた他方の軌道輪と組み立てる際に、その軌道溝のカウンタ部側の溝肩に設定されたかち込み代のばらつきによって、軌道溝に組み込まれるボールが鋭角に形成された反対側の溝肩に強く当たり、ボールに疵が発生することがある。
【０００７】
このようなボール疵は、軸受使用中の騒音の原因となるとともに、軸受寿命を短くする原因ともなるので、従来は、カウンタ部側の溝肩に設定されるかち込み代のばらつきを厳密に管理したり、ボール組み込み時のかち込み力が過大にならないように管理したりしている。また、かち込み代は軸受サイズによっても異なるので、軸受組立工程の管理に非常に手間がかかる問題がある。
【０００８】
そこで、本発明の課題は、カウンタ部を設けた軌道輪の軌道溝へのボールの組み込み時にボール疵が発生する恐れがなく、軸受組立工程の管理を容易にできるアンギュラ玉軸受を提供することである。
【課題を解決するための手段】
【０００９】
上記の課題を解決するために、本発明は、内外輪の少なくとも一方の軌道輪の軌道溝の片側にボール組み込み用のカウンタ部が設けられ、このカウンタ部を設けられた軌道輪の軌道溝が、カウンタ部側とその反対側との両側に溝肩を有するアンギュラ玉軸受において、前記カウンタ部を設けられた少なくとも一方の軌道輪の軌道溝の前記カウンタ部と反対側の溝肩に面取り部を設けた構成を採用した。
【００１０】
すなわち、ボール組み込み用のカウンタ部を設けられた少なくとも一方の軌道輪の軌道溝のカウンタ部と反対側の溝肩に面取り部を設けることにより、カウンタ部側の溝肩に設定されたかち込み代のばらつきによって、軌道溝に組み込まれるボールが反対側の溝肩に強く当たってもボールに疵が発生しないようにし、かち込み代のばらつきの管理や、ボール組み込み時のかち込み力の管理を不要として、軸受組立工程の管理を容易にできるようにした。
【００１１】
前記カウンタ部を設けられた少なくとも一方の軌道輪は外輪とすることができる。
【発明の効果】
【００１２】
本発明のアンギュラ玉軸受は、ボール組み込み用のカウンタ部を設けられた少なくとも一方の軌道輪の軌道溝のカウンタ部と反対側の溝肩に面取り部を設けることにより、カウンタ部側の溝肩に設定されたかち込み代のばらつきによって、軌道溝に組み込まれるボールが反対側の溝肩に強く当たってもボールに疵が発生しないようにしたので、かち込み代のばらつきの管理や、ボール組み込み時のかち込み力の管理を不要として、軸受組立工程の管理を容易にすることができる。
【発明を実施するための最良の形態】
【００１３】
以下、図面に基づき、本発明の実施形態を説明する。このアンギュラ玉軸受は、図１に示すように、内輪１の軌道溝１ａと外輪２の軌道溝２ａの間に複数のボール３が環状の保持器４で保持され、外輪２の軌道溝２ａの片側にボール組み込み用のカウンタ部２ｂが設けられている。また、内輪１にも外輪２のカウンタ部２ｂと反対側で軌道溝１ａの片側にカウンタ部１ｂが設けられている。このアンギュラ玉軸受は、非分離型のものであり、各軌道溝１ａ、２ａは、それぞれカウンタ部１ｂ、２ｂ側とその反対側とに溝肩を有する。
【００１４】
図２（ａ）に示すように、前記外輪２の軌道溝２ａのカウンタ部２ｂ側の溝肩には、後述する軸受組立時に、保持器４に組み込まれたボール３をカウンタ部２ｂ側から軌道溝２ａにかち込んで非分離とするためのかち込み代δが設定され、その反対側の溝肩には、Ｒ状の面取り部２ｃが設けられている。なお、図２（ｂ）は、この面取り部２ｃをテーパ状とした変形例を示す。
【００１５】
図３は、上述したアンギュラ玉軸受を組み立てる状態を示す。保持器４に組み込まれたボール３は、先に内輪１の軌道溝１ａにセットされ、こののち、熱膨張させた外輪２が、その軌道溝２ａにカウンタ部２ｂ側からボール３が組み込まれるように軸方向からかち込まれる。上述したように、このかち込み側と反対側の軌道溝２ａの溝肩には面取り部２ｃが設けられているので、この溝肩にかち込み時のボール３が強く当たっても、ボール疵が生じることはない。ボール３が軌道溝２ａにかち込まれたのち、外輪２の温度が常温まで低下すると、その熱収縮によって外輪２とボール３および内輪１とが非分離となる。
【００１６】
上述した実施形態では、内外輪の両方の軌道輪にカウンタ部を設け、外輪のカウンタ部をボールがかち込まれるボール組み込み用のものとしたが、内輪のカウンタ部をボール組み込み用のものとすることもできる。また、このカウンタ部を設ける軌道輪に対向する他方の軌道輪は、深溝玉軸受の軌道輪のように、カウンタ部のないものとしてもよい。
【００１７】
また、上述した実施形態では、アンギュラ玉軸受を単列のものとしたが、本発明は、両方の軌道輪を軸方向に組合わせた組合せアンギュラ玉軸受や、一方の軌道輪を軸方向に組合わせた複列アンギュラ玉軸受にも適用することができる。
【図面の簡単な説明】
【００１８】
【図１】アンギュラ玉軸受の実施形態を示す縦断面図
【図２】ａは図１の外輪を拡大して示す断面図、ｂはａの変形例を示す断面図
【図３】図１のアンギュラ玉軸受を組み立てる状態を示す一部省略縦断面図
【符号の説明】
【００１９】
１  内輪
２  外輪
１ａ、２ａ  軌道溝
１ｂ、２ｂ  カウンタ部
２ｃ  面取り部
３  ボール
４  保持器
【図１】
2006307894.tif 000003
【図２】
2006307894.tif 000004
【図３】
2006307894.tif 000005